(57)【要約】【課題】水泳補助具を手に持って水中を往復させて泳ぐ場合、補助具の推進力が一方向にのみ働く。【解決手段】把手Ａは、棒状の握り部１の後端に円盤状の取り付け基部２を有し，該取り付け基部２の側部にはストッパー３と、握り部１の中心線と直角に交わるように同基部２の側部を貫通する軸棒４を有する。一対をなすヒレＢ１，Ｂ２はそれぞれ一方の辺の中央に、ストッパー３に係止する半円状の凹部５，６と、該凹部それぞれの両側に軸棒４が挿入される連結孔７，８，９，１０を有する。該連結孔を貫通する軸棒４を介して把手ＡにヒレＢ１，Ｂ２が蝶番状に連結される。また。把手Ａにフロート１４を取り付け泳ぎにおいて浮力を得る。【選択図】　　　図８
2004113726.tif 000002
【特許請求の範囲】
【請求項１】
棒状の握り部（１）の後端に円盤状の取り付け基部（２）を設け、該取り付け基部（２）には、同基部側部が後方に向かって基部の直径が減少するテーパ状のストッパー（３）と、握り部（１）の中心線に対して直角に交わるように、取り付け基部（２）の側部を貫通する軸棒（４）とを設けてなる把手（Ａ）及び、板状であって、それぞれ一方の辺の中央に、上記ストッパー（３）に係止する半円状の凹部（５，６）を設け、該凹部（５，６）それぞれの両側に上記軸棒（４）が挿入される連結孔（７，８，９，１０）を設けてなる一対のヒレ（Ｂ１）（Ｂ２）とから構成され、連結孔（７，８，９，１０）を貫通する軸棒（４）を介して把手（Ａ）にヒレ（Ｂ１）（Ｂ２）が蝶番状に連結してなる水泳用手ヒレ。
【請求項２】
取り付け基部（２）の後部に復帰バネ（１１）を設けてなる請求項１記載の水泳用手ヒレ。
【請求項３】
握り部（１）の前部から後部に架かるブリッジ（１２）と、中空の球体（１３）とからなるフロート（１４）を握り部（１）の上部に設けてなる請求項１記載の水泳用手ヒレ。
【発明の詳細な説明】
【０００１】
【発明の属する技術分野】
本発明は、水泳における推進力を強化するための水泳補助具に係わるものであり詳しくは水泳用手ヒレに関するものである。
【０００２】
【従来の技術】
従来、この種の水泳補助具としては、図９に示す足に装着する足ヒレ（イ）が知られている。
【０００３】
【発明が解決しようとする課題】
水泳補助具を用いた水泳において、補助具を手に持つて水中を往復させる場合、補助具の推進作用は一方向にのみ働くのでなければならない。
【０００４】
本発明は、上記のような問題点に鑑みてなされたものでありその目的とするところは、足が不自由で足ヒレの使用が難しい人やまた、誰でも楽に泳ぎができるようにするための水泳用手ヒレを提供しようとするものである。
【０００５】
【課題を解決するための手段】
上記の目的を達成するために本発明の手ヒレは、棒状の握り部の後端に円盤状の取り付け基部を設け、該取り付け基部には、同基部側部が後方に向かって基部の直径が減少するテーパ状のストッパーと、握り部の中心線に対して直角に交わるように、取り付け基部側部を貫通する軸棒とを設けてなる把手及び、板状であって、それぞれ一方の辺の中央に、上記ストッパーに係止する半円状の凹部を設け、該凹部それぞれの両側に上記軸棒が挿入される連結孔を設けてなる一対のヒレとから構成され、連結孔を貫通する軸棒を介して把手にヒレを蝶番状に連結してなるものである。
【０００６】
そして、復帰バネを取り付け基部後部に取り付け、手ヒレが往路から復路に替わって水を押しのけようとするとき、ヒレの開き始めを付勢する。
【０００７】
また、握り部の前部から後部に架かるブリッジと中空の球体とからなるフロートを握り部の上部に設け、手ヒレが浮力を持つようにする。
【０００８】
上記のように構成された手ヒレのうちフロートを装着しない手ヒレの場合は、水中における往復運動において、往路では始め水の抵抗によりヒレは閉じてそのまま進むので水の抵抗は小さく、復路でヒレは復帰バネによる付勢と水の抵抗で開き始め、さらに半円状の凹部が取り付け基部のストッパーに係止すると、腕の運動方向に対しておおむね９０°に開いて最も効果的に水を押しのけ、その反動で推進力を得るものであり主として潜水時に用いられるものである。
【０００９】
また、手ヒレにフロートを装着した場合は、上記と同じ作用により推進力を有するの他に、体に浮力が与えられ水上の遊泳が容易となる。
【００１０】
【発明の実施の形態】
発明の実施の形態を実施例にもとずき図面を参照して説明する。
図１〜図３において、把手Ａは、軽量であることが好ましく大部分はプラスチックを用いて製作し、棒状の握り部１の後端に円盤状の取り付け基部２を設け、、取り付け基部２の側部には、後方に向かって取り付け基部２の直径が減少するテーパ状のストッパー３と、握り部１の中心線に対して直角に交わるように、取り付け基部側部を貫通する軸棒４とを設けてなるものである。なを軸棒４は主として鋼棒からできている
【００１１】
図４のヒレＢ１、Ｂ２は、プラスチック又はゴム等を用い板状であって、それぞれ一方の辺の中央には、取り付け基部２の側部ストッパー３に係止する半円状の凹部５，６と、それぞれの凹部の両側には軸棒４が挿入される連結孔７，８、９，１０，が設けられている。
【００１２】
図５〜図７において、ヒレの連結孔７，８，９、１０，を貫通する軸棒４を介して把手ＡにヒレＢ１、Ｂ２が蝶番状に連結してなるものである。また、ヒレＢ１，Ｂ２が往路から復路に替わる時、ヒレの開き始めを付勢する目的で取り付け基部２の後部に復帰バネ１１を設けたものである。
【００１３】
図８は、手ヒレの全体を示すものであり、把手Ａの握り部１の前部から後部に架かるブリッジ１２と中空の球体１３とからなるフロート１４を握り部１の上部に設けてなるものでありプラスチックを用い、把手Ａと一体成形してもよい。
【００１４】
【発明の効果】
本発明は、上述のとおり構成されているので次に記載する効果を奏する。
【００１５】
請求項１及び請求項２の手ヒレにおいては、足に障害があり足ヒレを用いることが困難な人にも手ヒレによる推進力を得て、スキューバダイビング等が可能となる。
【００１６】
請求項３の手ヒレにフロートを備えることにより泳ぎに際して浮力が得られ、誰にも遊泳が容易となる。
【図面の簡単な説明】
【図１】把手Ａの平面図である。
【図２】図１のａ−ａを矢視した断面図である。
【図３】把手Ａの斜視図である。
【図４】ヒレＢ１、Ｂ２の分解斜視図である。
【図５】復路において、ヒレＢ１、Ｂ２が開いた状態を示す手ヒレの斜視図である。
【図６】往路において、ヒレＢ１、Ｂ２が閉じた状態を示す斜視図である。
【図７】ヒレＢ１、Ｂ２の開き始めを付勢する復帰バネの取り付け状態を示す一部断面図である。
【図８】フロートを備えた手ヒレの斜視図である。
【図９】従来の足ヒレ（フイン）の一例を示す斜視図である。
【符号の説明】
Ａ　把手
Ｂ１，Ｂ２　ヒレ
１　握り部
２　取り付け基部
３　ストッパー
４　軸棒
５、６　凹部
７，８，９，１０　連結孔
１１　復帰バネ
１２　ブリッジ
１３　球体
１４　フロート
【図１】
2004113726.tif 000003
【図２】
2004113726.tif 000004
【図３】
2004113726.tif 000005
【図４】
2004113726.tif 000006
【図５】
2004113726.tif 000007
【図６】
2004113726.tif 000008
【図７】
2004113726.tif 000009
【図８】
2004113726.tif 000010
【図９】
2004113726.tif 000011